(57)【要約】      （修正有）【課題】非吸収面上に筆記するとき、ペン先の先端の形状が砲弾型であると、その先端の筆記部分に最も大きな押圧力がかかり、せっかく面上に乗せたインキをこの先端部分で掻き取ってしまい、筆跡は中心部分が掻き取られて薄くなる、いわゆる「中抜け」が発生しないペン先を提供する。【解決手段】内部にインキを貯蔵した筆記具１の先端に繊維収束体もしくは焼結芯よりなる砲弾型ペン先２を有する筆記具において、前記ペン先の筆記部を分割し複数の小ペン先を形成すると共に、その小ペン先の外側の硬度を内側の硬度よりも高くした。【選択図】図１
2013154586.tif 000002
【特許請求の範囲】
【請求項１】
内部にインキを貯蔵した筆記具の先端に繊維収束体もしくは焼結芯よりなる砲弾型ペン先を有する筆記具において、前記ペン先の筆記部を分割し複数の小ペン先を形成すると共に、その小ペン先の外側の硬度を内側の硬度よりも高くした筆記具。
【請求項２】
内部にインキを貯蔵した筆記具の先端に繊維収束体もしくは焼結芯よりなる砲弾型ペン先を有する筆記具において、前記ペン先の筆記部を分割し複数の小ペン先を形成すると共に、その小ペン先の硬度を、ペン先であって前記小ペン先以外の硬度よりも低くした筆記具。
【請求項３】
前記分割された各筆記部を常時非接触状態となした請求項１、或いは、請求項２に記載の筆記具。
【請求項４】
前記分割された各筆記部を非筆記時においては接触しているものの、筆記時においては非接触状態となした請求項１、或いは、請求項２に記載の筆記具。
【発明の詳細な説明】
【技術分野】
【０００１】
本発明は、内部にインキを貯蔵した筆記具の先端に繊維収束体よりなるペン先を有する筆記具に関する。
【背景技術】
【０００２】
従来、マーキングペンとして使用されているペン先としては、アクリル繊維やポリエステル繊維を用いた繊維収束体よりなるペン先や、ポリエチレン樹脂などを材質とした焼結ペン先、また、ポリエステル樹脂などを使用して押し出し成形よりなるプラスチック製のペン先などを用いるが、コスト等の面から繊維収束体よりなるペン先を用いる事が最も多い。
その繊維収束体を用いたペン先は、所定の形状に形成する為に、繊維の間に樹脂の接着剤を用いてペン先繊維同士を固め、その後、研磨砥石で研磨を行い所定の形状に仕上げる工程が採られている。
このようにして作製されたペン先は、油性インキや水性インキ等、種々のインキを内部に含浸させ、例えば、特開２０１１−１４８０９２や特開２００２−２９３０７８に開示されているようなマーカーに使用されている。
【先行技術文献】
【特許文献】
【０００３】
【特許文献１】特開２０１１−１４８０９２
【特許文献２】特開２００２−２９３０７８
【発明の概要】
【発明が解決しようとする課題】
【０００４】
特許文献１に記載するような従来用いている繊維収束体のペン先は、紙のようにインキを吸収しないホワイトボードやガラスなどの非吸収面に筆記するための筆記具のペン先としても使用されている。前記の非吸収面上に筆記するとき、ペン先の先端の形状が砲弾型であると、その先端の筆記部分に最も大きな押圧力がかかり、せっかく面上に乗せたインキをこの筆記部分で掻き取ってしまっていた。その結果、筆跡は中心部分が掻き取られて薄くなり、いわゆる「中抜け」した状態になってしまっていた。この掻き取りによる中抜け現象は、紙面などではインキの吸収が起こるため目立ちにくいが、非吸収面上では顕著であり、均一できれいな文字が書けなかった。
特許文献２は、連続気泡性の筒状軟質弾性体のペン先に模様状切り目を設けた点描筆記具であり、点描画や文字のアクセントとして使用される為のものである。このペン先の筆記部に設けられた模様状切り目によって、筆跡の中心部分への押圧力集中を分散させることはできる。このペン先として用いている連続気泡性の筒状軟質弾性体は、筆記時にペン先の筆記部に圧力を加えることで先端が弾性変形する。しかしながら、連続気泡性の筒状軟質弾性体は、全体が均一な軟らかさになっており、筆記時にかかる押圧力によってペン先の筆記部がその外周側に広がるような方向に力の逃げが生じるため、模様状切り目が埋まることなく形成される。そのため、これを連続した線の筆記に用いようとすると、埋まらない模様状切り目によって「中抜け」が生じてしまうものであった。
【課題を解決するための手段】
【０００５】
本発明は、内部にインキを貯蔵した筆記具の先端に繊維収束体もしくは焼結体よりなる砲弾型ペン先を有する筆記具において、前記ペン先の筆記部を分割し複数の小ペン先を形成すると共に、その小ペン先の外側の硬度を内側の硬度よりも高くしたことを第１の要旨とし、内部にインキを貯蔵した筆記具の先端に繊維収束体もしくは焼結体よりなる砲弾型ペン先を有する筆記具において、前記ペン先の筆記部を分割し複数の小ペン先を形成すると共に、その小ペン先の硬度を、ペン先であって前記小ペン先以外の硬度よりも低くしたことを第２の要旨とする。
【発明の効果】
【０００６】
本発明は、内部にインキを貯蔵した筆記具の先端に繊維収束体もしくは焼結体よりなる砲弾型ペン先を有する筆記具において、前記ペン先の筆記部を分割し複数の小ペン先を形成すると共に、その小ペン先の外側の硬度を内側の硬度よりも高くしたことを第１の要旨とし、内部にインキを貯蔵した筆記具の先端に繊維収束体もしくは焼結体よりなる砲弾型ペン先を有する筆記具において、前記ペン先の筆記部を分割し複数の小ペン先を形成すると共に、その小ペン先の硬度を、ペン先であって前記小ペン先以外の硬度よりも低くしたことを第２の要旨としたので、筆記部にかかる押圧力が、分割された各小ペン先の一本ずつに分散される。この押圧力の分散によって、筆記部の頂点への押圧力の集中もなくなり、それによって非吸収面に筆記する際の筆跡  の中心部分の筆記部によるインキの掻き取りを防止することができる。
そして、分割された各小ペン先による筆跡は、それぞれの浸漬ぬれで非吸収面上に広がり、各小ペン先の一本一本による筆跡間の隙間が埋められ、あたかも一本の筆跡が形成されるようになる。
【図面の簡単な説明】
【０００７】
【図１】筆記具本体図。
【図２】図１のI部拡大図。
【図３】図１のペン先スリット形状を示す拡大図。
【図４】他の一例を示すI部拡大図。
【図５】図４を長手方向を軸として４５°回転した方向から見たＩ部拡大図。
【図６】図４のペン先スリット形状を示す拡大図。
【図７】他の一例を示すＩ部拡大図。
【図８】図７のペン先スリット形状を示す拡大図。
【図９】他の一例を示すＩ部拡大図。
【図１０】図９のペン先スリット形状を示す拡大図。
【図１１】他の一例を示すＩ部拡大図。
【図１２】図１１のペン先スリット形状を示す拡大図。
【発明を実施するための形態】
【０００８】
次に、作用について説明する。繊維収束体のペン先は、そのペン先の原料となる繊維束を樹脂の接着剤にて接着させてなるものであるが、この製造の際、繊維束に含浸させた樹脂溶液の１つの成分である溶剤は、熱風や自然乾燥により表面から除去され、内部の樹脂を硬化させる。また、熱風や自然乾燥によって繊維束の表面から溶剤が蒸発しながら除去される際、中心部に含浸されている樹脂が繊維束の表面に移動し、樹脂が外周部に偏在することになる。即ち、ペン先の外周部には、樹脂が濃縮された状態で存在することになる。その結果、ペン先は中心部側ほど軟らかく、外周側ほど硬い外皮のある構造となる。このようなペン先に上記加工を施し、即ち、ペン先の筆記部を分割させることによって、筆記圧をかけた時、その分割された各々の小ペン先は外皮のある外周側よりも軟らかい中心側に力を逃がすようになる。その結果、特許文献２に示されるような筆跡の二重線化は起こりにくくなり、中抜け防止効果が得られるものとなる。このようにして、特に、ホワイトボード上やガラス上などの非吸収面における筆記において、顕著な中抜け防止効果が得られるのである。
また、ペン先としては、繊維収束体のペン先の他に焼結体のペン先も用いられる。この焼結体のペン先は、金型にポリエチレンなどのオレフィン系樹脂などを流し込んで成型される。具体的に説明すると、ペン先の筆記部側には粒子径の大きなポリエチレンが配置され、一方、ペン先のホルダ側部分には粒子径の小さなポリエチレンが配置される。いわゆる、二層成形されたペン先である。即ち、ペン先の筆記部側は粒子径が大きいため気孔率は大きくなり、硬度が下がる。一方、ペン先のホルダ側は粒子径が小さいため気孔率は小さくなり、硬度が上がる。つまり、この粒子径の違いによりペン先の筆記部側とペン先のホルダ側とで硬度の差を持たせたペン先となる。このようにして成型されたペン先に上記の加工を施し、即ち、ペン先を分割させた時、その分割された各々の小ペン先の筆記部は軟らかく、その後方に位置するペン先のホルダ側（小ペン先以外の部分）は硬い状態となっている。このような焼結体のペン先に筆記圧をかけた時、その分割された各々の小ペン先の後方に位置するペン先のホルダ側が硬質であることによって筆記圧が外側に逃げることが防止され、中抜け防止効果が得られるのである。
【０００９】
次に、基本的な構成について説明する。筆記具本体１は、先端にペン先２を備え、そのペン先２はペン先ホルダ３にガイドされている。さらに、筆記具本体１内部にインキを収容する部材でもある。その筆記具本体１内でのインキの収容方法は、繊維収束体などのインキ吸蔵体に含浸させたり、インキ吸蔵体を使用せずに、筆記具本体１内に直接自由状態で収容してもよい。これに使用されるインキは、特に限定はされないが、着色剤として染料及び／又は顔料が使用でき、媒体も水、有機溶剤が適宜使用できる。
また、使用するインキとしては、浸漬ぬれの効果を有することや、ペン先２への浸透性、吐出性などを考慮すると、粘度は１ｍＰａ・ｓ〜１００ｍＰａ・ｓであるような比較的低粘度のものであり、表面張力は２０ｍＮ／ｍ〜４０ｍＮ／ｍであるものが好ましい。
前記ペン先２の乾燥を防止する方法としては、ペン先２を気密に保持するキャップを使用しても良く、筆記具本体１の前後動に連動して開閉する蓋体を設けたノック式の密閉構造を使用しても良い。ノック式の密閉構造を使用する事によって、筆記具の使用時におけるキャップ紛失を防止したり、筆記時にキャップの開閉を両手で行わなければならないと言った煩わしさを防止することができる。
前記ペン先２としては、アクリル樹脂やポリウレタン樹脂などを用いた砲弾型ペン先であり、前記樹脂を接着剤によって繊維同士を固め、後に、研磨砥石で研磨を行い所定の形状に仕上げる、いわゆる、繊維収束体からなるペン先となっている。しかし、本例に限定されることはなく、焼結のペン先を用いても良い。その場合には、ポリエチレンなどのオレフィン系樹脂などを材質として、ペン先２の筆記部４は特に軟らかく、その他のペン先のホルダ側部分は比較的硬いような二層式のペン先を用いることが好ましい。  
【００１０】
前記ペン先２について、さらに詳述する。その繊維収束体のペン先２、あるいは、焼結のペン先の筆記部４の先端は、二つに分割されて小ペン先を構成しているが、それ以上に分割しても良い。そのペン先を分割する具体的な加工手段としては、ペン先２の筆記部４の表面にカッターナイフを押し付け一本、又は、複数本のスリット５を形成する方法が挙げられる。この加工によって、ペン先２の筆記部４には、長手方向に割られたスリット５が形成されると共に、前記の小ペン先が形成される。
その１例が、
【００１１】
詳述すると、砲弾型のペン先２の筆記部４の表面にカッターナイフで一本のスリット５を設ける。これによって、ペン先２の筆記部４は二又に分割され、筆記部４はあたかも二本のペン先を束ねたかのような常に隙間の開いた形状になる。その分割された小ペン先を、それぞれ小ペン先２ａ、小ペン先２ｂとする。このスリット５により筆記部４の先端への押圧力集中は、分割された各小ペン先（小ペン先２ａ、小ペン先２ｂ）に分散される。その結果、筆跡における中心部のインキ掻き取りによる中抜け現象を防止することができる。ここで、仮に、分割されたペン先２の筆記部４で掻き取りが起こってしまったとしても、分けられた小ペン先（小ペン先２ａ、小ペン先２ｂ）それぞれの幅は、元のペン先２の筆記部４の半分以下であるため、掻き取る量も従来の筆記部４の半分以下になると共に、掻き取る部分が筆跡の中心ではなく左右に分散される。即ち、掻き取り量の減少と掻き取り部分の分散により、掻き取りが起こったとしても目立ちにくくすることができる。ただし、前記スリット５は、分割された小ペン先２ａによる筆跡ともう一方の小ペン先２ｂによる筆跡との間の距離ｃが、ｃ≦０を満たすようなスリット５でなくてはならない。そのためには、スリット５の幅はペン先２の直径の５〜２０％程度、スリット５の深さはペン先出長さの１０〜４０％程度の深さでなければならない。例えば、直径８ｍｍ、出長さ１０ｍｍのペン先２に対しては、幅１ｍｍ、深さ３ｍｍ程度のスリット５を形成することで、筆記部４の先端への押圧力の集中が分散され、中抜け防止効果を得ることができる。
また、このようなスリット５は、ペン先２の表面から乾燥が始まってしまった際における、インキの硬化を破壊することもできる。つまり、小ペン先２ａ、２ｂが曲がりやすいため、硬化してしまったインキに対してクラックが入りやすく、インキ通路が形成されやすくなるのである。これによって、書き始めのインキの出不良における筆記のカスレからの復元を早めることもできる。
【００１２】
図１〜１２に各実施例を示す。ペン先２、６、９、１２、１５は繊維収束体もしくは焼結体であり、インキの収容方法は中綿方式であるが、直液方式であっても良い。
図１、２、３では、ペン先２は繊維収束体であり、直液方式にてインキが収容されているが、ペン先２の筆記部４に一本のスリット５が形成されている。具体的には、筆記部４の表面に、カッターナイフでペン先２を長手方向に割る方向に一本のスリット５を設けることによって、筆記部４はあたかも二本の小ペン先（小ペン先２ａ、小ペン先２ｂ）を束ねたかのような形状になる。この筆記部の片側の小ペン先２ａによる筆跡と、もう一方の片側の小ペン先２ｂによる筆跡との間の距離ｃが、ｃ≦０を満たすよう、直径８ｍｍ、出長さ１０ｍｍのペン先１に対して、幅１ｍｍ、深さ３ｍｍのスリット５を設けた。このスリット５によりペン先２の筆記部４への押圧力の集中は小ペン先２ａ側と小ペン先２ｂ側に分散され、筆跡の中心部のインキの掻き取りによる中抜け現象を防止することができる。
なお、この方式ではペン先に方向性が生じるため、筆記方向が自動的に定まるような機構を取り入れても良い。その構成としては、例えば、ペン先でスリットの入った面のみが露出して筆記可能であるペン先ホルダを備え、筆記する際には必ずスリット面を筆記面に当てることができる構造が挙げられる。即ち、ペン先のスリットの入っていない面にはペン先ホルダが伸びて表面を覆い、筆記できないようにしているものである。
図１、図２、図３の実施例ではペン先２の筆記部４はスリット５によって筆記中も、非筆記時も常に分かれた隙間の開いた状態であり、筆記時に先述の中抜け防止効果を発揮している。しかし、このペン先が筆記作業を行わない時にはスリット５が閉じた状態であり、筆記作業時には筆記部４への筆圧の印加により筆記面上でスリットが開く構成にしても良い。非筆記時の外観の見栄えを良好なものとしている。
また、このスリット５の大きさは、ペン先２の硬度、インキの粘度など様々な要因で定まるが、このスリット５の幅が０．２０ｍｍ以下の微細な間隙を形成するとき、この間隙に毛管力によりインキが溜まり、この溜まったインキが筆記時に筆記面に転写されることで先述の小ペン先２ａ、小ペン先２ｂによる２本の筆跡間の隙間が埋められる構造であっても良い。このような構成を採ることによって、ｃ≦０を満たしながらさらに間隙に保持されたインキが筆記面に転写されることで、より濃い筆跡を得ることができる。
また、本実施例ではペン先は繊維収束体であり、インキ収容方式は直液方式を採っているが、ペン先として焼結のペン先、インキ収容方式として中綿方式を採用しても良い。
【００１３】
実施例２を図４、図５に示し説明する。この実施例２は、ペン先６は繊維収束体であり、直液方式にてインキが収容された筆記具である。ペン先６の筆記部７には、それぞれが平行に３本のスリット８が形成されている。ここでは、直径８ｍｍ、出長さ１０ｍｍのペン先６に対して、それぞれが幅１ｍｍ、深さ３ｍｍのスリット８が形成されている。これにより、筆記部７はあたかも４本の小ペン先（それぞれ小ペン先６ａ、小ペン先６ｂ、小ペン先６ｃ、小ペン先６ｄとする）を束ねたかのような形状になる。
その結果、筆記部７の頂点への押圧力の集中は４本の小ペン先６ａ、６ｂ、６ｃ、６ｄに分散され、筆跡の中心部のインキの掻き取りによる中抜け現象を防止することができる。図４で示すように、スリット８が横並びに増えることで、スリット８が１本の時よりも筆記部７にかかる押圧力の横方向への分散は細かくなり、小ペン先６ａ、６ｂ、６ｃ、６ｄの１本毎にかかる押圧力は小さくなる。よって、スリット８が１本の時よりも筆記面へのインキの分散も均一になり、より均一できれいな筆跡を得ることができる。
なお、この方式でもペン先に方向性が生じるため、実施例１で示した筆記方向が自動的に定まるような機構を取り入れても良い。
また、このときペン先６は繊維収束体であり、インキ収容方式は直液方式を採っているが、ペン先としては焼結のペン先、インキ収容方式としては中綿方式を採用しても良い。
【００１４】
実施例３を図６、図７、図８に示し説明する。この実施例３のペン先９は繊維収束体であり、直液方式にてインキが収容されている。前記ペン先９の筆記部１０には、２本のスリット１１が互いに垂直でその交点が筆記部１０の頂点となるように形成されている。この２本のスリット１１は、直径８ｍｍ、出長さ１０ｍｍのペン先に対して、それぞれが幅１ｍｍ、深さ３ｍｍである。この方式ではあたかも４本の小ペン先を束ねたかのような形状になる（それぞれ小ペン先９ａ、小ペン先９ｂ、小ペン先９ｃ、小ペン先９ｄとする）。このスリット１１により、筆記部１０の頂点への押圧力の集中は分散され、筆跡の中心部のインキの掻き取りによる中抜け現象を防止することができる。この方式では、ペン先に方向性が生じるにも関わらず、図６、図７のどちらの場合でも筆記部１０の頂点への押圧力の集中が分散されるので、どの方向を向いたときにも中抜け防止効果が発揮されるものである。
また、カッターナイフでのスリット１１の形成の加工を１回増やすと言った極めて簡単な工程で、４本の小ペン先９ａ〜９ｄはスリットが１本の時の半分の細さとなり、よりしなりやすくなる。そのため、ペン先９の表面から乾燥が始まってしまった際の、インキの硬化の破壊を起こしやすくすることができ、書き始めのインキの出不良における筆記のカスレからの復元をさらに早めることができる。
また、このときペン先９は繊維収束体であり、インキ収容方式は直液方式を採っているが、ペン先９としては焼結のペン先、インキ収容方式としては中綿方式を採用しても良い。
【００１５】
実施例４を図９、図１０に示し説明する。この実施例４のペン先１２は繊維収束体であり、直液方式にてインキが収容されている。前記ペン先１２の筆記部１３には、その中心を筆記部１３の頂点とする放射線状に４本のスリット１４が形成されている。この４本のスリット１４は、直径８ｍｍ、出長さ１０ｍｍのペン先１２に対して、それぞれが幅１ｍｍ、深さ３ｍｍである。この方式ではあたかも８本の小ペン先を束ねたかのような形状になる（それぞれ小ペン先１２ａ、小ペン先１２ｂ、小ペン先１２ｃ、小ペン先１２ｄ、小ペン先１２ｅ、小ペン先１２ｆ、小ペン先１２ｇ、小ペン先１２ｈとする）。このスリット１４により、筆記部１３の頂点への押圧力の集中は分散され、筆跡の中心部のインキの掻き取りによる中抜け現象を防止することができる。このスリット１４の入れ方では、そのスリット１４の入れ方による方向性はほぼ生じないので、どの方向に向けて筆記した時も中抜け防止効果が発揮されるものである。
また、このときペン先１２は繊維収束体であり、インキ収容方式は直液方式を採っているが、ペン先１２としては焼結のペン先、インキ収容方式としては中綿方式を採用しても良い。
【００１６】
実施例５を図１１、図１２に示し説明する。実施例５のペン先１５は焼結体であり、直液方式にてインキが収容されている。前記ペン先１５の筆記部１６の表面には、格子状に６本のスリット１７が形成されている。この６本のスリット１７は、直径８ｍｍ、出長さ１０ｍｍのペン先１５に対して、それぞれが幅１ｍｍ、深さ３ｍｍである。この方式ではあたかも１６本の小ペン先を束ねたかのような形状になる（それぞれ小ペン先１５ａ、小ペン先１５ｂ、小ペン先１５ｃ、…、小ペン先１５ｐとする）。このスリット１７により、筆記部１６の頂点への押圧力の集中は分散され、筆跡の中心部のインキの掻き取りによる中抜け現象を防止することができる。この実施例では、方向性が生じることなく中抜け防止効果が発揮されると共に、筆記部１６の頂点への押圧力の集中の分散が筆記部全体に広がってより均一な筆跡を得ることができる。
また、このようにスリット１７を６本形成したことで、それぞれの小ペン先１５ａ、１５ｂ，１５ｃ、…、１５ｐはスリット１７が２本、３本、４本の時より細くなり、よりしなりやすくなる。そのため、ペン先１５の表面から乾燥が始まってしまった際の、インキの硬化の破壊をさらに起こしやすくすることができ、書き始めのインキの出不良における筆記のカスレからの復元をさらに早めることができる。
ちなみに、金型で成形される焼結体のペン先を用いることで、繊維収束体のペン先の成形に必要な研磨工程や洗浄工程が不要なため、そのコストも低減することができる。また、焼結により密に形成されているペン先のホルダ側の硬質部分は、繊維収束体の外皮よりも崩れにくいため、先述のようなスリットを多数形成し、なおかつペン先の形状を保たねばならない場合にはより適しているとも言える。
このときペン先１５は焼結体であり、インキ収容方式は直液方式を採っているが、ペン先としては繊維収束体のペン先、インキ収容方式としては中綿方式を採用しても良い。
【００１７】
スリットの加工方法であるが、カッターナイフの他にも剃刀やメタルソーなどの、１ｍｍ程度の細い切り込みを形成できる刃物を用いても良い。
【符号の説明】
【００１８】
１        筆記具本体
２        １本のスリットが入ったペン先
２ａ      １本のスリットにより分割された小ペン先
２ｂ      １本のスリットにより分割された小ペン先
３        ペン先ホルダ
４        ペン先２の筆記部
５        ペン先２に形成されたスリット
６        ３本のスリットが入ったペン先
６ａ      ３本のスリットにより分割された小ペン先
６ｂ      ３本のスリットにより分割された小ペン先
６ｃ      ３本のスリットにより分割された小ペン先
６ｄ      ３本のスリットにより分割された小ペン先
７        ペン先６の筆記部
８        ペン先６に形成されたスリット
９        ２本のスリットが入ったペン先
９ａ      ２本のスリットにより分割された小ペン先
９ｂ      ２本のスリットにより分割された小ペン先
９ｃ      ２本のスリットにより分割された小ペン先
９ｄ      ２本のスリットにより分割された小ペン先
１０      ペン先９の筆記部
１１      ペン先９に形成されたスリット
１２      ４本のスリットが入ったペン先
１２ａ    ４本のスリットにより分割された小ペン先
１２ｂ    ４本のスリットにより分割された小ペン先
１２ｃ    ４本のスリットにより分割された小ペン先
１２ｄ    ４本のスリットにより分割された小ペン先
１２ｅ    ４本のスリットにより分割された小ペン先
１２ｆ    ４本のスリットにより分割された小ペン先
１２ｇ    ４本のスリットにより分割された小ペン先
１２ｈ    ４本のスリットにより分割された小ペン先
１３      ペン先１２の筆記部
１４      ペン先１２に形成されたスリット
１５      ６本のスリットが入ったペン先
１５ａ    ６本のスリットにより分割された小ペン先
１５ｂ    ６本のスリットにより分割された小ペン先
１５ｃ    ６本のスリットにより分割された小ペン先
１５ｄ    ６本のスリットにより分割された小ペン先
１５ｅ    ６本のスリットにより分割された小ペン先
１５ｆ    ６本のスリットにより分割された小ペン先
１５ｇ    ６本のスリットにより分割された小ペン先
１５ｈ    ６本のスリットにより分割された小ペン先
１５ｉ    ６本のスリットにより分割された小ペン先
１５ｊ    ６本のスリットにより分割された小ペン先
１５ｋ    ６本のスリットにより分割された小ペン先
１５ｌ    ６本のスリットにより分割された小ペン先
１５ｍ    ６本のスリットにより分割された小ペン先
１５ｎ    ６本のスリットにより分割された小ペン先
１５ｏ    ６本のスリットにより分割された小ペン先
１５ｐ    ６本のスリットにより分割された小ペン先
１６      ペン先１５の筆記部
１７      ペン先１５に形成されたスリット
【図１】
2013154586.tif 000003
【図２】
2013154586.tif 000004
【図３】
2013154586.tif 000005
【図４】
2013154586.tif 000006
【図５】
2013154586.tif 000007
【図６】
2013154586.tif 000008
【図７】
2013154586.tif 000009
【図８】
2013154586.tif 000010
【図９】
2013154586.tif 000011
【図１０】
2013154586.tif 000012
【図１１】
2013154586.tif 000013
【図１２】
2013154586.tif 000014